(57)【要約】【課題】各種の市販測色装置ないしは反射率計は、高価格であり携帯に向かない。色見本による色彩の定量化の手段は、概して操作が煩雑で誤差も大きい。変退色用のグレースケールでは、無彩色の色差を示すにとどまり柄、模様などに関する考慮がない。そこで、携帯性に優れ簡便なしくみで目測により容易に物体色を測定することのできる測色スケールを提供し、また変退色の判定に関して柄や模様を有する測色対象についても容易な判定を可能とする。【解決手段】一枚あるいは複数の紙または樹脂製のカードに、測色時の色見本となる測色用パタンを色コマまたはグラデーションとして配置し、これに色を表わす数値記号あるいは変退色の等級や目盛を組み合わせ、さらに観測用覗き窓を設け測色対象の色を定量化する測色スケールを用いる。また、目的に応じてカラーフィルターを併用したり、即色用パタンを半透明化する。【選択図】図１
2008175752.tif 000002
【特許請求の範囲】
【請求項１】
一枚あるいは複数の紙または樹脂製のカードに、測色時の色見本となる測色用パタンを色コマまたはグラデーションとして配置し、これに色を表わす数値記号あるいは変退色の等級や目盛を組み合わせ、さらに観測用覗き窓を設けることで測色用パタンと測色対象が隣接した状態での正確な比色を可能とし、なおかつ測色対象の色を定量化することを特徴とする測色スケールおよびこれを用いた測色方法あるいは判定方法。
【請求項２】
前記測色スケールの観測用覗き窓および測色パタンの部分に目的に応じた色を有する半透明カラーフィルターを配し透過色を制限することで、三原色など測色対象の色の特定の波長成分のみの定量化を可能とした請求項１記載の測色スケールおよび測色方法あるいは判定方法。
【請求項３】
物体の変退色の度合を計測、判定するために、請求項１記載の測色スケールの測色用パタンの部分を半透明とし、別に用意した変退色前の物体にこれをかぶせ擬似的に変退色した測色用色見本を作成する測色スケールおよびこれを応用した判定方法。
【発明の詳細な説明】
【技術分野】
【０００１】
この発明は、物体表面の色の測定や変退色の等級の判定に用いる測色スケールおよびこれを用いた測色や判定の方法に関する。
【背景技術】
【０００２】
各種の市販測色装置ないしは反射率計は、光源、受光部、演算装置などを備える光学計測装置として設計されている。
【０００３】
色見本による色彩の定量化の手段もあるが、既存の色見本は、個別の色票がセットされていたり、冊子状になっており、これらを順次、対象の物体に隣接あるいは近接させた状態で最も近似した色見本を選択し、これに付された数値記号等で対象の色を表す。
【非特許文献１】Ｍｕｎｓｅｌｌ  Ｂｏｏｋ  ｏｆ  Ｃｏｌｏｒ
【非特許文献２】ＪＩＳ標準色票
【０００４】
繊維製品などの染色堅ろう度の判定に用いる既存の変退色用グレースケールおよび移染用グレースケールは、目視により色差を判断させるものであり、また特定の明度を有する無彩色の色票を基準としている。
【非特許文献３】ＪＩＳ  Ｌ  ０８０４：２００４
【非特許文献４】ＪＩＳ  Ｌ  ０８０５：２００５
【発明の開示】
【発明が解決しようとする課題】
【０００５】
しかしながら、以上の技術によれば、測色装置は高価格であり、また電化されているため携帯に向かないものとなる。
【０００６】
また、色見本による色彩の定量化は操作が煩雑であり、色見本と測色対象が隣接できない状態の判定では誤差が大きくなる。
【０００７】
さらに既存の変退色用グレースケールおよび移染用グレースケールでは、無彩色の色差を示すにとどまり変退色前の物体表面の色彩の色相がまったく考慮されていない。また当該変退色用グレースケールは変退色前の色見本としての色票が特定の明度とされているため、変退色前の物体表面の色の明度が高いなど当該グレースケールの変退色前の色見本と変退色前の判定対象となる物体表面の色が大きく異なる場合には、判定の個人差が大きくなる。加えて、この方式では柄、模様などに関する配慮がなくもっぱら無地の測色対象を前提として考案されている。
【０００８】
そこで、この発明は、携帯性に優れ簡便なしくみで目測により容易に物体色を測定することのできる測色スケールを提供し、それを利用した測色方法を提案することを課題とする。
【０００９】
また、この発明は、変退色の判定に関して柄や模様を有する測色対象についても容易な判定を可能とすることを課題とする。
【課題を解決するための手段】
【００１０】
以上の課題を解決するために、第一発明は、一枚あるいは複数の紙または樹脂製のカードに、測色時の色見本となる測色用パタンを色コマまたはグラデーションとして配置し、これに色を表わす数値記号あるいは変退色の等級や目盛を組み合わせ、さらに観測用覗き窓を設けることで測色用パタンと測色対象が隣接した状態での正確な比色を可能とし、なおかつ測色対象の色を定量化することを特徴とする測色スケールおよびこれを用いた測色方法あるいは判定方法である。
【００１１】
第二発明は第一発明における測色スケールの観測用覗き窓および測色用パタンの部分に目的に応じた色を有する半透明カラーフィルターを配し透過色を制限することで、三原色など測色対象の色の特定の波長成分のみの定量化を可能とした測色スケールおよび測色方法である。
【００１２】
第三発明は物体の変退色の度合を計測、判定するために、第一発明における測色スケールの測色用パタンの部分を半透明とし、別に用意した変退色前の物体にこれをかぶせ擬似的に変退色した測色用色見本を作成する測色スケールおよびこれを使用した判定方法である。
【発明の効果】
【００１３】
第一発明によれば、測色用パタンを数値記号、等級や目盛と組み合わせて配置したカード状測色スケールを測色対象にあてがい覗き窓から測色対象の色を観測する方式となっており、携帯に便利で単純な操作により万人が正確に色の定量化や変退色の判定を行うことができる。
第二発明のスケールでは、観測用覗き窓部分および測色パタン部分にフィルターを重ねることにより測色対象の色の特定の波長光のみを観測し、フィルターを透過する特定の色成分や原色成分の定量化ができる。
第三発明は産業上利用度の高い変退色を容易にしかも個人差なく計測することのできる測色スケールおよび方法であるとともに柄、模様を有する測色対象についてもその判定を可能とする。
【発明を実施するための最良の形態】
【００１４】
この発明の基本的な実施形態を、図１に示す。
測色スケールの本体１は紙またはプラスチック製であり、その中央に観測用の窓２が設けられている。この周囲には測色用パタン３として色コマが設けられ、そのそれぞれに数値記号４が付されている。なお、数値記号４としてはマンセル表色系、ＰＣＣＳ表色系、ＸＹＺ表色系、ＮＣＳ表色系など各種の表色系に準じたものや目的に応じてあらかじめ設定した等級を用いることも可能である。測色スケールの大きさについてはミリメートル単位の顕微鏡観測用から数十センチメートルのカード状のものが携帯の面からも適した範囲といえる。
【００１５】
「実施形態の効果」
この実施形態によれば、測色スケール本体１を測色対象にあてがい観測用覗き窓２より測色対象の色を観測し、測色対象の色と測色用パタン３としての色コマの色とが全く同調しその色境界が見えなくなるものないし最も近似した色コマに付された数値記号４を読取ることにより測色値が得られる。また、測色値が数値の場合には小数を用いることで二つの色コマの中間値を示すことも可能である。なお、図１では測色用パタン３の例として無彩色で明度を順次変化させた色コマの例を示しているが、測色用パタン３の色相や彩度を変化させることで色の三属性すなわち色相、明度、彩度の測定も可能となる。
【００１６】
「他の実施形態」
図２は測色用パタン３をグラデーションパタン表示とし、さらに測色目盛４を追加することにより測色対象の色の表示が詳細となるモデルである。さらに図３は図２におけるグラデーションパタンの一部を拡張したグラデーションパタンを測色用パタン３として採用し、測色対象の色の表示がさらに詳細となるモデルである。図２および図3は、このように精度などが異なる測色用パタン３および測色目盛４を有する複数の測色スケールを組み合わせて利用することによる一層詳細な測定の可能性を示唆する。
【００１７】
「他の実施形態」
図４は、図１の測色スケールの測色用パタン３としての色コマの数を増加し、より詳細な段階での色表示を可能とするモデルであり、一枚の測色スケール本体１に複数の観測用覗き窓２を有することを特徴とする。図４は、同じ要領で色コマ３および観測用覗き窓２をさらに増加させることによる一層詳細な測定の可能性を示唆する。
【００１８】
「第二発明の実施形態」
図５は観測用覗き窓２および測色パタン３の部分に有色の半透明カラーフィルター５を配し透過色を制限する第二発明の実施形態となる測色カードを示す。この実施形態では、観測用覗き窓２を含む測色カード本体１全体にカラーフィルター５を重ねて使用する。この他、測色カード本体１の部分のみ、観測用覗き窓２の部分のみなど特定の部分だけにカラーフィルター５を重ねて使用することも可能である。
【００１９】
「実施形態の効果」
この実施形態によれば、カラーフィルター５を透過することのできる測色対象の色の特定の波長成分のみの定量化が可能となる。たとえば、三原色（赤、緑、青紫）のフィルターを個別に用意し、これを順次使用して測定を行うことで、測色対象の色の赤、緑、青紫の各成分を測定することが可能となる。
【００２０】
「第三発明の実施形態」
図６は物体の変退色の度合を計測、判定するために、第一発明の測色スケールの測色用パタン３の部分を半透明とし、別に用意した変退色前の物体６にこれをかぶせ擬似的に変退色した測色用色見本を作成する第三発明の実施形態を示す測色スケールである。半透明の測色パタン３は、たとえば白色でグラデーションパタンとする。さらに図７は、変退色前後のドット柄の布に対する、その使用例を示す斜視図である。
【００２１】
「実施形態の効果」
この実施形態によれば、別に用意した変退色前の物体６にこれをかぶせたときに測色用パタン３の部分を透過して観測される変退色前の物体６の色はあたかも色あせたかのように見え、しかもグラデーションパタンの部分によって色あせの度合いが異なっているように見える。したがってこれを擬似的に変退色した測色用色見本として利用できる。ここでは同時に観測用覗き窓２から変退色後の物体７を観測し、測色用パタン３の部分を透過して観測される擬似的に変退色した測色用色見本と比較し、変退色の等級を判定することができる。なお、等級は小数を用いることで二つの等級の中間値を示すことも可能である。また、この方法によれば柄や模様を有する物体の変退色の度合いも容易に判定することができる。
【産業上の利用可能性】
【００２２】
測色カード作成の簡便さにおいても本発明は今後の産業界の測色技術に貢献することは間違いない。コンピューターグラフィックス技術が産業界に定着している今、本発明の測色用色カードはパーソナルコンピュータとカラープリンターを用いて、何万色もの色表示とＲＧＢ、ＸＹＺ、ＨＶＣなどの表色系と関連付けた詳細な数値目盛が生産可能となっている。
【００２３】
繊維産業界では、繊維製品の消費性能のひとつとして染色堅ろう度が重要視されているが、第三発明の測色スケールはその判定の安定化にきわめて有用である。
【図面の簡単な説明】
【００２４】
【図１】本発明の基本となる測色値と色コマを併置した観測用覗き窓をもつカード状測色スケールである。
【図２】グラデーションパタンと測色目盛付きの円形カード状測色スケールである。
【図３】詳細グラデーションパタンと測色目盛付きの円形カード状測色スケールである。
【図４】複数の観測用覗き窓を有する測色スケールである。
【図５】色フィルターを観測用覗き窓部分に配置した測色スケールの斜視図である。
【図６】測色パタンを半透明とした測色スケールである。
【図７】図６の測色スケールの応用例を示す斜視図である。
【符号の説明】
【００２５】
１  スケール本体
２  観測用覗き窓
３  測色用パタン
４  測色目盛および値
５  フィルター
６  変退色する前の物体（ドット柄の布の例）
７  変退色した後の物体（ドット柄の布の例）
【図１】
2008175752.tif 000003
【図２】
2008175752.tif 000004
【図３】
2008175752.tif 000005
【図４】
2008175752.tif 000006
【図５】
2008175752.tif 000007
【図６】
2008175752.tif 000008
【図７】
2008175752.tif 000009